(57)【要約】【課題】ユーザが起床したか否かを精度良く識別し、アラーム機能の利便性を向上させる【解決手段】アラーム管理システム１では、携帯電話１０のアラーム停止通知部１３が、アラーム制御部１２により起動されたアラーム機能が停止したことを示すアラーム停止情報をアラーム管理サーバ２０に通知する。次に、アラーム管理サーバ２０の利用状況取得部２２が、アラーム停止情報の受信に応じて、各ライフライン機器３０ａ〜３０ｅから所定時間の利用状況を示す情報を取得し、起床判定部２３が、利用状況取得部２２により取得された情報に基づき、携帯電話１０のユーザが起床しているか否かを判定する。制御指令送信部２４は、起床判定部２３により携帯電話のユーザが起床していないと判定された場合に、携帯電話１０に対してアラーム機能を再鳴動するアラーム再鳴動通知を送信する。【選択図】図１
2011135516.tif 000002
【特許請求の範囲】
【請求項１】
アラーム機能を備える通信端末と、前記通信端末と通信可能に接続されると共に、前記通信端末のユーザの日常生活に利用されるライフライン機器の利用状況を確認することが可能なサーバとを備え、前記アラーム機能の実行を管理するアラーム管理システムであって、
前記通信端末が、
前記アラーム機能を制御する制御手段と、
前記制御手段により起動された前記アラーム機能が停止したことを示すアラーム停止情報を前記サーバに通知する通知手段と、を有し、
前記サーバが、
前記通信端末の通知手段より前記アラーム停止情報を受信するのに応じて、前記ライフライン機器から所定時間の利用状況を示す情報を取得する取得手段と、
前記取得手段により取得された情報に基づき、前記通信端末のユーザが起床しているか否かを判定する判定手段と、
前記判定手段により前記通信端末のユーザが起床していないと判定された場合に、前記通信端末に対して前記アラーム機能を再起動する再起動指令を送信する送信手段と、を有し、
前記通信端末の前記制御手段が、前記サーバの送信手段より前記再起動指令を受信したときに、前記アラーム機能を再起動することを特徴とするアラーム管理システム。
【請求項２】
前記サーバが、
前記通信端末のユーザの起床を判定するために利用する前記ライフライン機器の種別を定義する定義テーブルを備え、
前記判定手段は、前記定義テーブルを参照して前記通信端末のユーザの起床判定に利用する前記ライフライン機器を選択し、前記取得手段により取得された情報から抽出した、前記選択したライフライン機器に関する情報に基づき、前記通信端末のユーザが起床しているか否かを判定することを特徴とする、請求項１に記載のアラーム管理システム。
【請求項３】
アラーム機能を備える通信端末と、前記通信端末と通信可能に接続されると共に、前記通信端末のユーザの日常生活に利用されるライフライン機器の利用状況を確認することが可能なサーバとを備え、前記アラーム機能の実行を管理するアラーム管理システムによるアラーム管理方法であって、
前記通信端末の制御手段が、前記アラーム機能を起動する起動ステップと、
前記通信端末の通知手段が、前記起動ステップにおいて起動された前記アラーム機能が停止したことを示すアラーム停止情報を前記サーバに通知する通知ステップと、
前記サーバの取得手段が、前記通知ステップの前記アラーム停止情報を受信するのに応じて、前記ライフライン機器から所定時間の利用状況を示す情報を取得する取得ステップと、
前記サーバの判定手段が、前記取得ステップにおいて取得された情報に基づき、前記通信端末のユーザが起床しているか否かを判定する判定ステップと、
前記サーバの送信手段が、前記判定ステップにおいて前記通信端末のユーザが起床していないと判定された場合に、前記通信端末に対して前記アラーム機能を再起動する再起動指令を送信する送信ステップと、
前記通信端末の前記制御手段が、前記送信ステップの前記再起動指令を前記サーバの送信手段から受信したときに、前記アラーム機能を再起動する再起動ステップと、
を含むことを特徴とするアラーム管理方法。
【発明の詳細な説明】
【技術分野】
【０００１】
本発明は、通信端末に備えられたアラーム機能の実行を管理するアラーム管理システム及びアラーム管理方法に関する。
【背景技術】
【０００２】
携帯電話やＰＤＡ（Personal Digital Assistant：個人情報端末）などの通信端末装置に備えられるアラーム機能を、日常的に目覚まし時計として使用するユーザが増加している。このようにアラーム機能を利用するユーザの利便性を向上させるべく、例えば天候や交通の条件に応じてアラーム時刻を変更するなど、アラーム機能のインテリジェント化が提案されている（例えば特許文献１）。
【０００３】
また、従来のアラーム機能には、ユーザの二度寝を防止するために、アラームを一旦停止しても所定の解除操作をしない限り、しばらく経つとアラームが再度鳴動する動作が所定回数繰り返し行われる「スヌーズ機能」が備えられていることが多い。
【先行技術文献】
【特許文献】
【０００４】
【特許文献１】特開２００４−２７４５６３号公報
【発明の概要】
【発明が解決しようとする課題】
【０００５】
しかしながら、特許文献１に記載されるアラーム機能では、外部情報に応じてアラーム時刻を早めて起動させることは可能であるものの、起動されたアラームが停止された後に、ユーザが二度寝することなく起床できたか否かまでは認識することはできなかった。
【０００６】
また、アラームがスヌーズ機能を備える場合であっても、ユーザが所定の解除操作を行った後に二度寝したり、所定のスヌーズ回数が終了してスヌーズ機能が停止した後にユーザが寝続けていたとしても、これを認識することもできないし、改めてユーザを起床させることもできなかった。
【０００７】
本発明は、上記の問題を解決するためになされたものであり、ユーザが起床したか否かを精度良く識別し、アラーム機能の利便性を向上させることができるアラーム管理システム及びアラーム管理方法を提供することを目的とする。
【課題を解決するための手段】
【０００８】
上記課題を解決するため、本発明に係るアラーム管理システムは、アラーム機能を備える通信端末と、通信端末と通信可能に接続されると共に、通信端末のユーザの日常生活に利用されるライフライン機器の利用状況を確認することが可能なサーバとを備え、アラーム機能の実行を管理するアラーム管理システムであって、通信端末が、アラーム機能を制御する制御手段と、制御手段により起動されたアラーム機能が停止したことを示すアラーム停止情報を前記サーバに通知する通知手段と、を有し、サーバが、通信端末の通知手段よりアラーム停止情報を受信するのに応じて、前記ライフライン機器から所定時間の利用状況を示す情報を取得する取得手段と、取得手段により取得された情報に基づき、通信端末のユーザが起床しているか否かを判定する判定手段と、判定手段により通信端末のユーザが起床していないと判定された場合に、通信端末に対してアラーム機能を再起動する再起動指令を送信する送信手段と、を有し、通信端末の制御手段が、サーバの送信手段より再起動指令を受信したときに、アラーム機能を再起動することを特徴とする。
【０００９】
同様に、上記課題を解決するため、本発明に係るアラーム管理方法は、アラーム機能を備える通信端末と、通信端末と通信可能に接続されると共に、通信端末のユーザの日常生活に利用されるライフライン機器の利用状況を確認することが可能なサーバとを備え、アラーム機能の実行を管理するアラーム管理システムによるアラーム管理方法であって、通信端末の制御手段が、アラーム機能を起動する起動ステップと、通信端末の通知手段が、起動ステップにおいて起動されたアラーム機能が停止したことを示すアラーム停止情報をサーバに通知する通知ステップと、サーバの取得手段が、通知ステップのアラーム停止情報を受信するのに応じて、ライフライン機器から所定時間の利用状況を示す情報を取得する取得ステップと、サーバの判定手段が、取得ステップにおいて取得された情報に基づき、通信端末のユーザが起床しているか否かを判定する判定ステップと、サーバの送信手段が、判定ステップにおいて通信端末のユーザが起床していないと判定された場合に、通信端末に対してアラーム機能を再起動する再起動指令を送信する送信ステップと、通信端末の制御手段が、送信ステップの再起動指令をサーバの送信手段から受信したときに、アラーム機能を再起動する再起動ステップと、を含むことを特徴とする。
【００１０】
このようなアラーム管理システム及びアラーム管理方法によれば、起動されたアラーム機能が停止したのに応じて、通信端末のユーザの日常生活に利用されるライフライン機器の利用状況が確認され、取得された情報に基づき、通信端末のユーザが起床しているか否かを判定される。そして、通信端末のユーザが起床していないと判定された場合に、アラーム機能が再起動される。このように、ライフライン機器の利用状況に基づいて、ユーザが日常生活動作を行っているか否かを推定して、ユーザの起床判定を行うので、アラーム停止後にユーザが起床したか否かを精度良く識別することができる。さらに、ユーザが起床していないと判定された場合には、通信端末のアラーム機能を再鳴動させるので、ユーザがアラーム停止後に二度寝していたとしても自動的にアラーム機能を復活させて起床を促すことが可能となる。したがって、アラーム機能の利便性を向上させることができる。
【００１１】
また、サーバが、通信端末のユーザの起床を判定するために利用するライフライン機器の種別を定義する定義テーブルを備え、判定手段は、定義テーブルを参照して通信端末のユーザの起床判定に利用するライフライン機器を選択し、取得手段により取得された情報から抽出した、選択したライフライン機器に関する情報に基づき、通信端末のユーザが起床しているか否かを判定することが好適である。
【００１２】
この構成により、ユーザの起床を判定するために利用するライフライン機器の種別を通信端末ごとに個別に定義することが可能となり、個々のユーザの日常生活動作の傾向を考慮して起床判定に用いる情報の取捨選択を行うことができ、ユーザが起床したか否かをより一層精度良く識別することができるようになり、アラーム機能の利便性を向上させることができる。
【発明の効果】
【００１３】
本発明に係るアラーム管理システム及びアラーム管理方法によれば、ユーザが起床したか否かを精度良く識別し、アラーム機能の利便性を向上させることができる。
【図面の簡単な説明】
【００１４】
【図１】本発明の一実施形態に係るアラーム管理システムの構成図である。
【図２】起床判定テーブルの一例を示す図である。
【図３】本実施形態のアラーム管理システムにおいて実行される処理を示すシーケンス図である。
【発明を実施するための形態】
【００１５】
以下、図面を参照しながら本発明の実施形態を詳細に説明する。なお、図面の説明において同一又は同等の要素には同一の符号を付し、重複する説明を省略する。
【００１６】
図１は、本発明の一実施形態に係るアラーム管理システム１の構成図である。図１に示すように、アラーム管理システム１は、複数の携帯電話（通信端末）１０ａ〜１０ｄ、アラーム管理サーバ（サーバ）２０、及び後述する複数のライフライン機器３０を含んで構成されている。
【００１７】
アラーム管理サーバ２０は、無線ＬＡＮ（Ｌｏｃａｌ  Ａｒｅａ  Ｎｅｔｗｏｒｋ）を介して、携帯電話１０ａ〜１０ｄ及びライフライン機器３０と通信可能に接続されている。したがって、本実施形態では、携帯電話１０ａ〜１０ｄは、移動体通信及び無線ＬＡＮ通信の両方を利用可能な端末を対象としている。アラーム管理システム１は、アラーム管理サーバ２０〜携帯電話１０ａ〜１０ｄ間、及びアラーム管理サーバ２０〜ライフライン機器３０間において、高速かつ大容量のデータ通信が可能な構成となっている。
【００１８】
アラーム管理サーバ２０は、携帯電話１０ａ〜１０ｄとの間でアラーム管理に関する情報（アラーム停止情報、アラーム再鳴動通知、二度寝防止解除通知）の通信を行うと共に、携帯電話１０ａ〜１０ｄの操作状況を示す情報（端末利用状況情報）を取得する。また、アラーム管理サーバ２０は、ライフライン機器３０のそれぞれから利用状況を示す情報（機器利用状況情報）を取得する。
【００１９】
ここで、「ライフライン機器」とは、携帯電話１０ａ〜１０ｄのユーザの日常生活動作に利用される機器の総称であり、自宅内にある機器のことをいう。図１には、具体例として、水道３０ａ、ガス３０ｂ、電気３０ｃ、家電（オーディオ、エアコン、ＰＣなど）３０ｄ、及び電動歯ブラシ３０ｅが例示されている。また、水道３０ａ、ガス３０ｂ、電気３０ｃ、家電３０ｄに関しては、自宅内のキッチン、洗面所、風呂、リビング、個室などでの利用が個別にわかるように構成されており、電動歯ブラシ３０ｅに関しては、複数ある場合には個々の利用がわかるように構成されている。ライフライン機器３０ａ〜３０ｅのそれぞれには、利用状況検知部３１ａ〜３１ｅが備えられている。利用状況検知部３１ａ〜３１ｅは、ユーザにより当該ライフライン機器が利用されたときにはこれを検知して、「機器利用状況」としてサーバに通知する。
【００２０】
本実施形態では、携帯電話１０ａ〜１０ｄのいずれかのアラームが鳴動（起動）し、アラーム停止操作がなされたときに、アラーム管理サーバ２０が各ライフライン機器３０から利用状況に関する情報を収集し、収集した情報に基づき当該携帯電話のユーザが起床しているか否かを判定する。そして、起床が確認できない場合には、アラーム管理サーバ２０から携帯電話１０ａ〜１０ｄに対して、再度アラームを鳴動させる指令（再起動指令）がなされ、携帯電話のアラームが再鳴動する。ここで、「利用状況」とは、該当の機器が所定時間の間に利用されたか否かを示す情報である。
【００２１】
携帯電話１０（図１の携帯電話１０ａ〜１０ｄの総称）は、物理的には、ＣＰＵ（Central Processing Unit）、主記憶装置であるＲＡＭ（Random Access Memory）及びＲＯＭ（Read Only Memory）、入力デバイスである入力キー等の操作部、ディスプレイ、無線通信部などを有する端末装置として構成されている。後述する携帯電話１０の各機能は、ＣＰＵ、ＲＡＭ等のハードウェア上に所定のコンピュータソフトウェアを読み込ませることにより、ＣＰＵの制御のもとで操作部、ディスプレイ、無線通信部を動作させるとともに、ＲＡＭやＲＯＭにおけるデータの読み出し及び書き込みを行うことで実現される。
【００２２】
また、アラーム管理サーバ２０は、物理的には、ＣＰＵ、主記憶装置であるＲＡＭ及びＲＯＭ、ハードディスク装置等の補助記憶装置、入力デバイスである入力キー等の入力装置、ディスプレイ等の出力装置、ネットワークカード等のデータ送受信デバイスである通信モジュールなどを有するコンピュータとして構成されている。後述するアラーム管理サーバ２０の各機能は、ＣＰＵ、ＲＡＭ等のハードウェア上に所定のコンピュータソフトウェアを読み込ませることにより、ＣＰＵの制御のもとで入力装置、出力装置、通信モジュールを動作させるとともに、ＲＡＭや補助記憶装置におけるデータの読み出し及び書き込みを行うことで実現される。
【００２３】
次に、携帯電話１０及びアラーム管理サーバ２０の各機能について説明する。
【００２４】
携帯電話１０は、図１に示すように、入力操作部１１（図１の入力操作部１１ａ。携帯電話１０ｂ〜１０ｄにも同様の入力操作部１１ｂ〜１１ｄを含むものとする。以下、携帯電話１０の各機能ブロックも同様）、アラーム制御部（アラーム制御手段）１２、アラーム停止通知部（通知手段）１３、端末利用状況検知部１４、アラーム１５を含んで構成されている。
【００２５】
入力操作部１１は、テンキーやボタンなどのハードウェアの操作部を介してユーザの入力操作を検知する部分である。本実施形態では、アラーム機能の鳴動を停止する操作、携帯電話のアプリケーション（メール送受信、ウェブ閲覧など）の操作を検知する。
【００２６】
アラーム制御部１２は、アラーム１５の動作を制御する部分である。具体的には、アラーム制御部１２は、所与のアラーム設定時刻にアラーム機能を起動させ、アラーム１５を鳴動させたり、また図示しないバイブレーション機能を用いて振動させる。また、スヌーズ機能が設定されている場合には、所定回数繰り返しアラーム機能を起動させる。
【００２７】
また、アラーム制御部１２は、アラーム起動後には、入力操作部１１を介してユーザのアラーム停止操作を検知するか、または、スヌーズ機能が所定回数終了した場合に、アラームが停止した旨をアラーム停止通知部１３に通知する。
【００２８】
アラーム制御部１２は、さらに、後述するアラーム管理サーバ２０の制御指令送信部２４から制御指令を受信するのに応じて、指令に基づきアラーム機能を制御する。具体的には、アラーム再鳴動通知を受信するとアラーム機能を再び起動させてアラームを再鳴動させる。また、二度寝防止解除通知を受信すると、アラーム機能を完全に停止する処理を行う。
【００２９】
アラーム停止通知部１３は、アラーム制御部１２からアラーム停止の通知を受信するのに応じて、アラーム停止を示す「アラーム停止情報」を、アラーム管理サーバ２０の利用状況取得部２２に送信する。また、アラーム停止情報と併せて、携帯電話の識別情報（端末ＩＤ、ユーザ名など）と、携帯電話の現在位置を示す端末位置情報を送信する。端末位置情報は、例えば図示しないＧＰＳ機能を用いて計測したり、移動通信網を介して基地局などから得られる在圏情報を利用することができる。
【００３０】
端末利用状況検知部１４は、携帯電話１０の利用状況を検知する部分である。具体的には、アラーム管理サーバ２０の利用状況取得部２２から取得指令を受信するのに応じて、所定時間にわたって、入力操作部を介して携帯電話のアプリケーションの操作（メール送受信や、ウェブアクセスなど）を監視する。そして、アプリケーション操作を検知すると、これを「携帯電話利用状況」として利用状況取得部２２に通知する。
【００３１】
アラーム管理サーバ２０は、図１に示すように、監視対象定義テーブル（定義テーブル）２１、利用状況取得部（取得手段）２２、起床判定部（判定手段）２３、制御指令送信部（送信手段）２４を含んで構成されている。
【００３２】
監視対象定義テーブル２１は、携帯電話１０のユーザの起床を判定するために利用する「ライフライン情報」の種別を定義する部分である。ここで、「ライフライン情報」とは、ライフライン機器３０の利用状況検知部３１から取得される機器利用状況と、携帯電話１０の端末利用状況検知部１４から取得される携帯電話利用状況との全ての種別を示す情報であり、起床判定の対象として利用可能な情報をいう。
【００３３】
監視対象定義テーブル２１では、図２に示すように、起床判定に利用する、監視対象のライフライン情報の種別が、携帯電話別に定義されている。図２の例では、父、母、娘、息子という４人家族のそれぞれの携帯電話ごとに設定された監視対象定義テーブル２１を例示している。
【００３４】
電気利用有無については、リビング、キッチン、寝室、子供部屋１，２の利用状況が取得され、携帯電話Ａ（父）１０ａは、リビング又は寝室の電気利用が監視対象として設定されている。携帯電話Ｂ（母）１０ｂは、キッチン又は寝室が監視対象として設定されている。携帯電話Ｃ（娘）１０ｃは、子供部屋１が監視対象として設定されており、携帯電話Ｄ（息子）１０ｄは、子供部屋２が監視対象として設定されている。
【００３５】
同様に、電動歯ブラシ利用有無については、携帯電話Ａ１０ａには歯ブラシＡが監視対象として設定されており、携帯電話Ｂ１０ｂには歯ブラシＢが監視対象として設定されている。携帯電話Ｃ（娘）１０ｃには歯ブラシＣが監視対象として設定され、携帯電話Ｄ（息子）１０ｄには歯ブラシＤが監視対象として設定されている。
【００３６】
監視対象定義テーブル２１における監視対象のライフライン情報の定義は、たとえば携帯電話Ａ１０ａを例にとると、図２に示すように、リビング及び寝室の電気利用、歯ブラシＡの利用、テレビ及びＰＣの家電利用、そして携帯電話１０ａ（自機）のＷＥＢアクセスやメール送受信の利用状況となっている。
【００３７】
利用状況取得部２２は、携帯電話１０のアラーム停止通知部１３からアラーム停止通知を受信するのに応じて、各ライフライン機器３０の利用状況検知部３１から機器利用状況を取得し、アラーム停止通知を送信してきた携帯電話１０（図１では携帯電話１０ａ）から携帯電話利用状況を取得する。具体的には、利用状況取得部２２は、各ライフライン機器３０及び携帯電話１０に対して、所定時間の利用状況を監視する「利用状況取得指令」を送信し、この指令に応じて返信された利用状況に関する情報（機器利用状況、携帯電話利用状況）を集約して、起床判定部２３に送信する。ここで、「利用状況」とは、該当の機器又は携帯電話が所定時間の間に利用されたか否かを意味するものであって、「機器利用状況」とは当該ライフライン機器が所定時間の間に利用されたか否かを示す情報であり、「携帯電話利用状況」とは、該当の携帯電話が所定時間の間に利用されたか否かを示す情報である。
【００３８】
起床判定部２３は、利用状況取得部２２により取得された利用状況に関する情報を用いて携帯電話１０のユーザが起床しているか否かを判定する部分である。起床判定部２３は、利用状況情報及び携帯電話の識別情報（図１では携帯電話１０ａの識別情報）を利用状況取得部２２から受信すると、監視対象定義テーブル２１から、識別情報に基づき、この識別情報の携帯電話の場合に監視対象となるライフライン情報を抽出する。
【００３９】
そして、起床判定部２３は、取得した利用状況情報の中から監視対象の情報を抽出し、利用された機器／端末の個数を計数する。利用された機器／端末の数が３件以上の場合には、起床しているものと判定する。一方、利用された機器／端末の数が３件未満の場合には、まだ起床しておらず二度寝しているものと判定する。
【００４０】
なお、１件または２件の機器／端末の利用が検知された場合にも起床と判定していないのは、監視対象定義テーブル２１がユーザ別の傾向に合わせて監視対象を設定されているものの、ユーザ間で若干の重複がある点、例外的に他のユーザが一番最初に利用してしまう可能性がある点を考慮したためである。１件または２件の機器／端末の利用で起床と判定してしまうと、実際には本人が当該機器を利用していないのに本人が利用しているものと判断して、実際には二度寝しているのに起床しているものと誤判定してしまう状況が考えられるので、このような誤判定を回避するために、起床判定の条件を機器／端末の利用数３件以上と設定している。なお、起床判定と判定する利用機器／端末の個数は３件以外を設定してもよい。
【００４１】
制御指令送信部２４は、起床判定部２３の判定結果に応じて、携帯電話１０のアラーム制御部１２に対して制御指令を送信する部分である。具体的には、制御指令送信部２４は、ユーザが起床していないと判定された場合には、アラーム１５を再鳴動させるアラーム再鳴動通知（再起動指令）を送信し、ユーザが起床していると判定された場合には、アラーム機能を完全に停止させる二度寝防止解除通知を送信する。
【００４２】
次に、図３を参照して、本実施形態のアラーム管理システム１において実行される処理を説明すると共に、本実施形態に係るアラーム管理方法について説明する。図３は、アラーム管理システム１において実行される処理を示すシーケンス図である。なお、以下の説明では、携帯電話１０ａのアラーム機能が起動した状況を例として説明する。
【００４３】
まず、携帯電話１０ａにおいて、アラーム制御部１２により、所与のアラーム設定時刻にアラーム機能が起動され、アラーム１５の鳴動が開始される（Ｓ１０１：起動ステップ）。また、スヌーズ機能が設定されている場合には、アラーム制御部１２は、所定回数繰り返しアラーム機能を起動させる。
【００４４】
そして、アラーム制御部１２により、入力操作部１１を介してユーザのアラーム停止操作が検知されるか、または、スヌーズ機能が所定回数終了した場合に、アラームが停止され（Ｓ１０２）、アラームが停止した旨がアラーム停止通知部１３に通知される。
【００４５】
次に、アラーム停止通知部１３により、アラーム制御部１２からアラーム停止の通知を受信するのに応じて、アラーム停止を示す「アラーム停止情報」が、携帯電話の識別情報（端末ＩＤ、ユーザ名など）と、携帯電話の現在位置を示す端末位置情報と併せて、アラーム管理サーバ２０の利用状況取得部２２に送信される（Ｓ１０３：通知ステップ）。
【００４６】
次に、アラーム管理サーバ２０において、利用状況取得部２２により、アラーム停止通知部１３から受信した端末位置情報に基づき携帯電話が自宅内にあるか否かが判定される（Ｓ１０４）。自宅外と判定された場合には処理を終了する（Ｓ１０５）。携帯電話１０ａが自宅内にあると判定された場合には、引き続き利用状況取得部２２により、各ライフライン機器に対して利用状況取得指令が送信される（Ｓ１０６）。
【００４７】
次に、各ライフライン機器３０において、利用状況検知部３１により、利用状況取得指令の受信に応じて、所定時間にわたり当該機器の利用状況の監視が行われ（Ｓ１０７）、所定時間内に機器利用を検知したときに、この旨が機器利用状況情報としてアラーム管理サーバ２０の利用状況取得部２２に送信される（Ｓ１０８：取得ステップ）。
【００４８】
アラーム管理サーバ２０において、上述のステップＳ１０４で携帯電話１０ａが自宅内にあると判定された場合には、さらに、利用状況取得部２２により、アラーム停止通知を送信した携帯電話１０ａに対しても利用状況取得指令が送信される（Ｓ１０９）。
【００４９】
携帯電話１０ａにおいて、端末利用状況検知部１４により、アラーム管理サーバ２０の利用状況取得部２２から利用状況取得指令を受信するのに応じて、所定時間にわたって、入力操作部１１を介してアプリケーションの操作（メール送受信や、ウェブアクセスなど）が監視される（Ｓ１１０）。そして、アプリケーション操作を検知すると、この旨が「携帯電話利用状況」としてアラーム管理サーバ２０の利用状況取得部２２に通知される（Ｓ１１１：取得ステップ）。
【００５０】
アラーム管理サーバにおいて、利用状況取得部２２により各ライフライン機器３０及び携帯電話１０ａから取得した機器利用状況及び携帯電話利用状況が集約されて、携帯電話１０ａの識別情報と共に起床判定部２３に送信され、起床判定部２３により、ライフライン機器及び携帯電話から取得した利用状況に応じて携帯電話のユーザの起床判定が行われる（Ｓ１１２：判定ステップ）。起床判定部２３は、具体的には、監視対象定義テーブル２１から、携帯電話１０ａの識別情報に基づき、この携帯電話１０ａの場合に監視対象となるライフライン情報を抽出する。例えば、図２の例では、携帯電話Ａ１０ａの監視対象となるライフライン情報は、リビング及び寝室の電気利用、歯ブラシＡの利用、テレビ及びＰＣの家電利用、そして携帯電話１０ａ（自機）のＷＥＢアクセスやメール送受信の利用状況の６点である。起床判定部２３は、取得した利用状況情報の中から監視対象の情報を抽出し、利用された機器／端末の個数を計数する。利用された機器／端末の数が３件以上の場合には、起床しているものと判定する。一方、利用された機器／端末の数が３件未満の場合には、まだ起床しておらず二度寝しているものと判定する。
【００５１】
そして、起床判定部２３により、携帯電話１０ａのユーザが起床しておらず二度寝しているもの判定された場合（Ｓ１１３のＮＯ）には、制御指令送信部２４により、アラーム１５を再鳴動させるアラーム再鳴動通知が、携帯電話１０ａのアラーム制御部１２ａに送信され（Ｓ１１４：送信ステップ）、再鳴動通知を受信した携帯電話１０ａのアラーム制御部１２ａにより、アラーム１５ａが再鳴動される（Ｓ１１５：再起動ステップ）。
【００５２】
起床判定部２３により、携帯電話１０ａのユーザが起床しているものと判定された場合（Ｓ１１３のＹＥＳ）には、制御指令送信部２４により、アラーム機能を完全に停止させる二度寝防止解除通知が、携帯電話１０ａのアラーム制御部１２ａに送信され（Ｓ１１６）、携帯電話１０ａのアラーム機能が停止される。
【００５３】
以上に説明したように、本実施形態に係るアラーム管理システム１及びアラーム管理方法によれば、携帯電話１０のアラーム停止通知部１３が、アラーム制御部１２により起動されたアラーム機能が停止したことを示すアラーム停止情報をアラーム管理サーバ２０に通知する。アラーム管理サーバ２０の利用状況取得部２２が、アラーム停止情報の受信に応じて、各ライフライン機器３０ａ〜３０ｅから所定時間の利用状況を示す情報を取得し、起床判定部２３が、利用状況取得部２２により取得された情報に基づき、携帯電話１０のユーザが起床しているか否かを判定する。制御指令送信部２４は、起床判定部２３により携帯電話のユーザが起床していないと判定された場合に、携帯電話１０に対してアラーム機能を再鳴動するアラーム再鳴動通知を送信する。
【００５４】
このような構成によれば、起動されたアラーム機能が停止したのに応じて、携帯電話１０のユーザの日常生活に利用されるライフライン機器３０の利用状況が確認され、取得された情報に基づき、携帯電話１０のユーザが起床しているか否かを判定される。そして、携帯電話１０のユーザが起床していないと判定された場合に、アラーム機能が再起動される。このように、ライフライン機器３０の利用状況に基づいて、ユーザが日常生活動作を行っているか否かを推定して、ユーザの起床判定を行うので、アラーム停止後にユーザが起床したか否かを精度良く識別することができる。さらに、ユーザが起床していないと判定された場合には、携帯電話１０のアラーム機能を再鳴動させるので、ユーザがアラーム停止後に二度寝していたとしても自動的にアラーム機能を復活させて起床を促すことが可能となる。したがって、アラーム機能の利便性を向上させることができる。
【００５５】
また、アラーム管理サーバ２０が、携帯電話１０のユーザの起床を判定するために利用するライフライン機器の種別を定義する監視対象定義テーブル２１を備え、起床判定部２３が、監視対象定義テーブル２１を参照して携帯電話のユーザの起床判定に利用するライフライン機器を選択し、利用状況取得部２２により取得された情報から抽出した、選択したライフライン機器に関する情報に基づき、携帯電話のユーザが起床しているか否かを判定する。
【００５６】
この構成により、ユーザの起床を判定するために利用するライフライン機器の種別を携帯電話ごとに個別に定義することが可能となり、個々のユーザの日常生活動作の傾向を考慮して起床判定に用いる情報の取捨選択を行うことができ、ユーザが起床したか否かをより一層精度良く識別することができるようになり、アラーム機能の利便性を向上させることができる。
【００５７】
以上、本発明に係るアラーム管理システム１及びアラーム管理方法ついて好適な実施形態を挙げて説明したが、本発明は上記実施形態に限られるものではない。例えば、例えば、上記実施形態では通信端末の一例として携帯電話を例示したが、本発明は、ＰＤＡ（Personal Digital Assistant：個人情報端末）やパーソナルコンピュータなどアラーム機能を備えることが可能な他種の通信端末にも適用可能である。
【００５８】
また、アラーム管理サーバ２０の利用状況取得部２２は、監視対象定義テーブル２１で監視対象として設定されているライフライン機器３０に限定した上で、利用状況取得指令を送信するよう構成してもよい。これにより、起床判定に利用しない機器の情報まで取得することを回避して通信負荷を軽減することができる。
【００５９】
また、アラーム管理サーバ２０は、自宅外にあって、無線ＬＡＮの他に移動体通信網やインターネットなどの通信手段を利用して、携帯電話１０及びライフライン機器３０と通信する構成としてもよい。
【符号の説明】
【００６０】
１…アラーム管理システム、１０（１０ａ〜１０ｄ）…携帯電話（通信端末）、１２（１２ａ）…アラーム制御部（アラーム制御手段）、１３（１３ａ）…アラーム停止通知部（通知手段）、１５（１５ａ）…アラーム、２０…アラーム管理サーバ（サーバ）、２１…監視対象定義テーブル（定義テーブル）、２２…利用状況取得部（取得手段）、２３…起床判定部（判定手段）、２４…制御指令送信部（送信手段）、３０（３０ａ〜３０ｅ）…ライフライン機器。
【図１】
2011135516.tif 000003
【図２】
2011135516.tif 000004
【図３】
2011135516.tif 000005